(57)【特許請求の範囲】
【請求項１】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整するための上下風向板及び該上下風向板を回転可能に支持する支持機構を有する吹出口組立品とを備え、
前記吹出口組立品の長手方向の両端部における前記上下風向板の回転の軸芯は、長手方向に延びる同一の直線上に位置し、
前記吹出口組立品の長手方向の中央部における前記上下風向板の回転の軸芯は、前記直線から前記上下風向板の側にずれた位置に位置しており、
前記上下風向板は、回転するとき前記中央部において円弧状の軌跡に沿って案内されるよう構成されており、
前記円弧状の軌跡は、曲率半径の異なる複数の円弧で構成され、
前記複数の円弧のうち隣り合う円弧は共通の接線を有しており、
前記円弧状の軌跡の両端部の間で前記複数の円弧の曲率半径が変化している空気調和機の室内ユニット。
【請求項２】
前記両端部及び前記中央部において、前記上下風向板の風向板嵌合部材と前記支持機構の支持機構嵌合部材とが嵌合しており、
前記風向板嵌合部材は、前記両端部の一方の端部及び前記中央部において前記上下風向板に設けられた軸部材、並びに前記両端部の他方の端部において前記上下風向板に形成された軸穴であり、かつ、前記支持機構嵌合部材は、前記両端部の一方の端部及び前記中央部において前記支持機構に形成された軸穴、並びに前記両端部の他方の端部において前記支持機構に設けられた軸部材であり、
または、
前記風向板嵌合部材は、前記上下風向板に設けられた軸部材であり、かつ、前記支持機構嵌合部材は、前記支持機構に設けられた軸穴であり、
前記両端部及び前記中央部のそれぞれにおいて、前記軸部材は前記軸穴を挿通しており、
前記上下風向板は、前記軸部材の軸芯周りに回転し、
前記円弧状の軌跡は、
前記上下風向板が前記吹出口を閉じる閉位置にあるとき、前記中央部における前記風向板嵌合部材の前記軸部材の軸芯が前記上下風向板の長手方向に延びる前記直線に最も近くなり、
前記上下風向板が前記吹出口を開放する開位置にあるとき、前記中央部における前記風向板嵌合部材の前記軸部材の軸芯が前記上下風向板の長手方向に延びる前記直線から最も離れるよう形成されている請求項１に記載の空気調和機の室内ユニット。
【請求項３】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整するための上下風向板及び該上下風向板を回転可能に支持する支持機構を有する吹出口組立品とを備える空気調和機の室内ユニットであって、
前記吹出口組立品の長手方向の両端部における前記上下風向板の回転の軸芯は、長手方向に延びる同一の直線上に位置し、
前記吹出口組立品の長手方向の中央部における前記上下風向板の回転の軸芯は、前記直線から前記上下風向板の側にずれた位置に位置しており、
前記上下風向板は、回転するとき前記中央部において円弧状の軌跡に沿って案内されるよう構成されており、
前記両端部及び前記中央部において、前記上下風向板の風向板嵌合部材と前記支持機構の支持機構嵌合部材とが嵌合しており、
前記風向板嵌合部材は、前記両端部の一方の端部及び前記中央部において前記上下風向板に設けられた軸部材、並びに前記両端部の他方の端部において前記上下風向板に形成された軸穴であり、かつ、前記支持機構嵌合部材は、前記両端部の一方の端部及び前記中央部において前記支持機構に形成された軸穴、並びに前記両端部の他方の端部において前記支持機構に設けられた軸部材であり、
または、
前記風向板嵌合部材は、前記上下風向板に設けられた軸部材であり、かつ、前記支持機構嵌合部材は、前記支持機構に設けられた軸穴であり、
前記両端部及び前記中央部のそれぞれにおいて、前記軸部材は前記軸穴を挿通しており、
前記上下風向板は、前記軸部材の軸芯周りに回転し、
前記支持機構の前記中央部の前記軸穴は長円形状を有しており、前記軸穴の内周面において、前記室内ユニットの内方側に前記円弧状の軌跡が形成されている空気調和機の室内ユニット。
【請求項４】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整するための上下風向板及び該上下風向板を回転可能に支持する支持機構を有する吹出口組立品とを備える空気調和機の室内ユニットであって、
前記吹出口組立品の長手方向の両端部における前記上下風向板の回転の軸芯は、長手方向に延びる同一の直線上に位置し、
前記吹出口組立品の長手方向の中央部における前記上下風向板の回転の軸芯は、前記直線から前記上下風向板の側にずれた位置に位置しており、
前記上下風向板は、回転するとき前記中央部において円弧状の軌跡に沿って案内されるよう構成されており、
前記両端部及び前記中央部において、前記上下風向板の風向板嵌合部材と前記支持機構の支持機構嵌合部材とが嵌合しており、
前記風向板嵌合部材は、前記両端部の一方の端部及び前記中央部において前記上下風向板に形成された軸穴、並びに前記両端部の他方の端部において前記上下風向板に設けられた軸部材であり、かつ、前記支持機構嵌合部材は、前記両端部の一方の端部及び前記中央部において前記支持機構に設けられた軸部材、並びに前記両端部の他方の端部において前記支持機構に形成された軸穴であり、
または、
前記風向板嵌合部材は、前記上下風向板に形成された軸穴であり、かつ、前記支持機構嵌合部材は、前記支持機構に設けられた軸部材であり、
前記両端部及び前記中央部のそれぞれにおいて、前記軸部材は前記軸穴を挿通しており、
前記上下風向板は、前記軸部材の軸芯周りに回転し、
前記上下風向板の前記中央部の前記軸穴は長円形状を有しており、前記軸穴の内周面において、前記室内ユニットの外方側に前記円弧状の軌跡が形成されている空気調和機の室内ユニット。
【発明の詳細な説明】
【技術分野】
【０００１】
本発明は、空気調和機の室内ユニットに関するものであり、特に上下風向板の支持部に関するものである。
【背景技術】
【０００２】
従来、空気調和機の室内ユニットは、室内の空気を吸込口から吸い込み、空気を吹出口から室内へ吹き出すよう構成されている。吹出口には、吹き出す空気の方向を変更するための風向板が配設されている。風向板には、室内へ吹き出す空気の上下方向の向きを調整する上下風向板と、左右方向の向きを調整する左右風向板とがある。室内ユニットには、上下風向板を左右両端部と中央とで支持している構成を有するものがある。例えば、特許文献１の空気調和機の上下風向板は、吹出口の両側壁に形成した軸孔と中央に設けた軸受板に形成した軸孔のそれぞれに対応する軸を有している。そして、上下風向板の全ての軸の軸心を一直線上に配置し、軸受板の軸孔の軸心を、吹出口の両側壁の軸孔の軸心を結ぶ直線上からずらして配置している。これにより、上下風向板に反りを生じさせ、それにより発生する付勢力によって、上下風向板を保持している。
【先行技術文献】
【特許文献】
【０００３】
【特許文献１】特開２００４−２１８８８４号公報
【発明の概要】
【発明が解決しようとする課題】
【０００４】
しかしながら、中央の軸受板の軸孔をずらすことにより、上下風向板を回転させると、中央部における上下風向板の回転軌道が生じるため、上下風向板の回転時の回転トルクが高くなってしまう。その結果、上下風向板を回転させるために高トルクモーターが必要となる。また、回転トルクが不足すると上下風向板の回転動作に不具合が生じ、上下風向板の軸、及び軸受板の軸孔が摩耗し、部品破損するという問題がある。【０００５】
本発明は、上記のような課題を解決するためになされたものであり、上下風向板に反りを生じさせて保持しつつ、上下風向板の回動をスムーズに行うことができる空気調和機の室内ユニットを提供することを目的とする。
【課題を解決するための手段】
【０００６】
本発明に係る空気調和機の室内ユニットは、吸込口及び吹出口が形成された筐体と、前記筐体の内側に配設され、前記吸込口から空気を吸い込み、空調された空気を前記吹出口から吹き出す送風機と、前記筐体の内側の、前記吸込口と前記吹出口との間の風路に配設された熱交換器と、前記吹出口から吹き出される空気の上下方向の風向を調整するための上下風向板及び該上下風向板を回転可能に支持する支持機構を有する吹出口組立品とを備え、前記吹出口組立品の長手方向の両端部における前記上下風向板の回転の軸芯は、長手方向に延びる同一の直線上に位置し、前記吹出口組立品の長手方向の中央部における前記上下風向板の回転の軸芯は、前記直線から前記上下風向板の側にずれた位置に位置しており、前記上下風向板は、回転するとき前記中央部において円弧状の軌跡に沿って案内されるよう構成されており、前記円弧状の軌跡は、曲率半径の異なる複数の円弧で構成され、前記複数の円弧のうち隣り合う円弧は共通の接線を有しており、前記円弧状の軌跡の両端部の間で前記複数の円弧の曲率半径が変化しているものである。
【発明の効果】
【０００７】
本発明に係る空気調和機の室内ユニットによると、吹出口組立品の長手方向の中央部における上下風向板の回転の軸芯が、上下風向板の側にずれた位置に位置するため、上下風向板は支持機構に押し付けられる。そして、この状態で上下風向板が回転するとき、上下風向板は中央部において円弧状の軌跡に沿って案内される。従って、上下風向板を回転させるとき、支持機構におけるガタつきが防止され、吹出口から吹き出される空気の影響及び室内ユニットの振動の影響を受けることがないため、異音の発生を防止することができる。また、上下風向板を回転させるとき、高トルクが必要とされないため、上下風向板及び支持機構の損傷も防止される。
【図面の簡単な説明】
【０００８】
【図１】本発明の実施の形態に係る空気調和機の室内ユニットの斜視図である。
【図２】本発明の実施の形態に係る空気調和機の室内ユニットの内部を側方から示す概略図である。
【図３】本発明の実施の形態に係る吹出口組立品の斜視図である。
【図４】本発明の実施の形態に係る吹出口組立品の支持機構の斜視図である。
【図５】本発明の実施の形態に係る吹出口組立品の上下風向板の斜視図である。
【図６】本発明の実施の形態に係る吹出口組立品の左端部の拡大斜視図である。
【図７】本発明の実施の形態に係る吹出口組立品の右端部の拡大斜視図である。
【図８】本発明の実施の形態に係る吹出口組立品の中央部の拡大斜視図である。
【図９】吹出口組立品の上下風向板が閉位置にあるときの室内ユニットの一部を側方から示す図である。
【図１０】吹出口組立品の上下風向板が開位置にあるときの室内ユニットの一部を側方から示す図である。
【図１１】吹出口組立品の支持部材の中央軸穴の平面図である。
【発明を実施するための形態】
【０００９】
以下に、本発明における空気調和機の室内ユニットの実施の形態を図面に基づいて詳細に説明する。なお、以下に説明する実施の形態によって本発明が限定されるものではない。また、以下の図面においては各構成部材の大きさは実際の装置とは異なる場合がある。
【００１０】
実施の形態．
図１は、本発明の実施の形態に係る空気調和機の室内ユニットの斜視図である。図２は、本発明の実施の形態に係る空気調和機の室内ユニットの内部を側方から示す概略図である。室内ユニット１００は、筐体１と、フロントパネル２と、吹出口組立品３と、上下風向板４と、熱交換器５と、送風機６と、リアガイド７とを備えている。フロントパネル２は筐体１の前方に配設されている。吸込口１ａは筐体１の上面に形成され、吹出口１ｂは筐体１の前面下部に形成されている。熱交換器５及び送風機６は、筐体１の内部に配設されている。熱交換器５は、筐体１の内部において、吸込口１ａと吹出口１ｂとの間の風路に配設されている。熱交換器５は、例えばフィンチューブ型の熱交換器であり、冷媒が供給されている。吹出口組立品３は、吹出口１ｂに配設されている。送風機６は、吸込口１ａと吹出口１ｂとの間の風路において、吹出口組立品３とリアガイド７との間に配置される。送風機６は、吸込口１ａから室内の空気を吸い込み、空調された空気を吹出口１ｂから吹き出す。吹出口組立品３には、吹出口１ｂから吹き出される空気の風向の上下を調整する上下風向板４が設けられている。
【００１１】
図３は、本発明の実施の形態に係る吹出口組立品の斜視図である。図３は、吹出口組立品３をフロントパネル２の側から示している。吹出口組立品３は、上述の上下風向板４と上下風向板４を回転可能に支持する支持機構８とを有している。図４は、本発明の実施の形態に係る吹出口組立品の支持機構の斜視図である。支持機構８は長尺部材である本体８０を有している。本体８０の長手方向の両端部には、それぞれ左支持板８１と右支持板８２が設けられている。左支持板８１は、室内ユニット１００をフロントパネル２側から見た場合の左端に位置し、右支持板８２は、室内ユニット１００をフロントパネル２側から見た場合の右端に位置している。左支持板８１及び右支持板８２は、略三角形の薄板状の部材であり、本体８０の長手方向と交差するよう、本体８０の底面に配設されている。左支持板８１には円形の左軸穴８１ａが形成されている。右支持板８２の構成については後述する。本体８０の長手方向の中央には、中央支持板８３が設けられている。中央支持板８３は、Ｕ字型の薄板状の部材であり、本体８０の長手方向と交差するよう、本体８０の底面に配設されている。中央支持板８３には、長円形状の中央軸穴が形成されている。中央軸穴の形状についてはその詳細を後述する。
【００１２】
図５は、本発明の実施の形態に係る吹出口組立品の上下風向板の斜視図である。上下風向板４は長尺部材である本体４０を有している。本体４０の長手方向の両端部において、本体４０の表面には、それぞれ薄板状の左取付板４１、右取付板４２が配設されている。左取付板４１は、室内ユニット１００をフロントパネル２側から見た場合の左端に位置し、右取付板４２は、室内ユニット１００をフロントパネル２側から見た場合の右端に位置している。左取付板４１において上下風向板４の外方を向く面には、左軸４１ａが配設されている。右取付板４２には、右軸穴４２ａが形成されている。上下風向板４の長手方向の中央において、本体４０の表面には、薄板状の中央取付板４３が配設されている。中央取付板４３において、右取付板４２を向く面には中央軸４３ａが配設されている。左軸４１ａ及び中央軸４３ａの軸芯は、上下風向板４の回転の軸芯であり、右軸穴４２ａの中心は、上下風向板４の回転の中心である。
【００１３】
図６は、本発明の実施の形態に係る吹出口組立品の左端部の拡大斜視図である。図７は、本発明の実施の形態に係る吹出口組立品の右端部の拡大斜視図である。図８は、本発明の実施の形態に係る吹出口組立品の中央部の拡大斜視図である。図６に示すように、吹出口組立品３の左端部において、支持機構８の左支持板８１の左軸穴８１ａを上下風向板４の左取付板４１の左軸４１ａが挿通しており、左軸４１ａと左軸穴８１ａは互いに嵌合している。左軸４１ａは左軸穴８１ａに支持されている。図７に示すように、支持機構８の右支持板８２において、上述の中央支持板８３を向く面には右軸８２ａが配設されている。吹出口組立品３の右端部において、上下風向板４の右取付板４２の右軸穴４２ａを支持機構８の右支持板８２の右軸８２ａが挿通しており、右軸穴４２ａと右軸８２ａは互いに嵌合している。右軸８２ａは右軸穴４２ａに支持されている。図８に示すように、吹出口組立品３の中央部において、支持機構８の中央支持板８３の中央軸穴８３ａを上下風向板４の中央取付板４３の中央軸４３ａが挿通しており、中央軸４３ａと中央軸穴８３ａは互いに嵌合している。中央軸４３ａは中央軸穴８３ａに支持されている。
【００１４】
支持機構８に取り付けられていない状態の上下風向板４において、左取付板４１の左軸４１ａ及び中央取付板４３の中央軸４３ａの軸芯、並びに右取付板４２の右軸穴４２ａの中心が、上下風向板４の長手方向において一直線上に位置するよう、左軸４１ａ及び中央軸４３ａは配設され、右軸穴４２ａは形成されている。支持機構８において、左支持板８１の左軸穴８１ａの中心と右支持板８２の右軸８２ａの軸芯が支持機構８の長手方向において一直線上に位置するよう、左軸穴８１ａは形成され、右軸８２ａは配設されている。
形成されている。すなわち、支持機構８において、上下風向板４の回転の軸芯である左軸穴８１ａ及び右軸８２ａの中心は、吹出口組立品３の長手方向に延びる同一の直線上に位置している。
【００１５】
図９は、吹出口組立品の上下風向板が閉位置にあるときの室内ユニットの一部を側方から示す図である。図１０は、吹出口組立品の上下風向板が開位置にあるときの室内ユニットの一部を側方から示す図である。図９及び図１０は、上下風向板４の中央取付板４３の中央軸４３ａと、吹出口組立品３の支持機構８の中央支持板８３の中央軸穴８３ａとの嵌合状態を示している。また、図９及び図１０において、点ＡＸは、左軸４１ａの軸芯及び右軸穴４２ａの中心の位置を示している。左軸４１ａは左軸穴８１ａに嵌合し、右軸穴４２ａには右軸８２ａが嵌合している。従って、点ＡＸは、左軸穴８１ａの中心及び右軸８２ａの軸芯の位置でもある。図９に示されるように、上下風向板４が閉位置にあるとき、吹出口１ｂは上下風向板４により閉塞されている。図１０に示されるように、上下風向板４が開位置にあるとき、吹出口１ｂは上下風向板４により閉塞されることなく、開放されている。
【００１６】
中央支持板８３において、中央軸穴８３ａは、点ＡＸから上下風向板４の側にずれた位置に形成されている。一方、上下風向板４の左取付板４１の左軸４１ａ及び右取付板４２の右軸穴４２ａと、支持機構８の左支持板８１の左軸穴８１ａ及び右支持板８２の右軸８２ａは、それぞれの軸芯若しくは中心が点ＡＸに位置している。さらに、上下風向板４の中央取付板４３の中央軸４３ａの軸芯は、上下風向板４が支持機構８に取り付けられていない状態、換言すると外力が加えられていない状態では、点ＡＸに位置することになる。従って、左取付板４１の左軸４１ａと左支持板８１の左軸穴８１ａとを嵌合させ、右取付板４２の右軸穴４２ａと右支持板８２の右軸８２ａとを嵌合させ、中央取付板４３の中央軸４３ａと中央支持板８３の中央軸穴８３ａとを嵌合させると、中央軸４３ａのみが本来の位置である点ＡＸから上下風向板４の本体４０側に寄った位置に位置づけられる。その結果、上下風向板４は、その中間部分が両端部に比べ室内ユニット１００の外方側に突出して撓んだ状態となる。また、中央軸４３ａに対して、中央軸穴８３ａと嵌合している位置から点ＡＸへ向かう方向への付勢力が作用し、中央軸４３ａは、常に、中央軸穴８３ａの内周面において室内ユニット１００の内方側の部分に押し付けられた状態となる。この状態で、上下風向板４は、室内ユニット１００内に配設された制御部（図示省略）の制御に基づいて、図９の閉位置と図１０の開位置との間で回転する。
【００１７】
図１１は、吹出口組立品の支持部材の中央軸穴の形状を説明するための図である。中央軸穴８３ａの内周面のうち、室内ユニット１００側の部分は、第１の円弧Ｃ１、第２の円弧Ｃ２、及び第３の円弧Ｃ３を有している。曲率中心がＰ１の第１の円弧Ｃ１と曲率中心がＰ２の第２の円弧Ｃ２は隣り合っており、共通接線Ｌ１を有している。第２の円弧Ｃ２の曲率半径は、第１の円弧Ｃ１の曲率半径よりも大きい。第２の円弧Ｃ２と、曲率中心がＰ３の第３の円弧Ｃ３は隣り合っており、共通接線Ｌ２を有している。第３の円弧Ｃ３の曲率半径は、第２の円弧Ｃ２の曲率半径よりも大きい。このように、中央軸穴８３ａの内周面において、室内ユニット１００の内方側の部分の形状は、曲率半径が異なる複数の円弧を接続した曲線であって、複数の円弧にうち隣り合う円弧は共通の接線を有している。第１の円弧Ｃ１が室内ユニット１００のフロントパネル２側に位置し、第３の円弧Ｃ３が室内ユニット１００の背面側に位置している。すなわち、中央軸穴８３ａの内周面の室内ユニット１００の内方側の形状を構成する複数の円弧の曲率半径は、フロントパネル２側から室内ユニット１００の背面側に向かって徐々に変化している。
【００１８】
上下風向板４が図９の閉位置にあるとき、中央軸４３ａは曲率半径が最も小さい第１の円弧Ｃ１の端部に位置している。従って、中央軸４３ａの軸芯は、左軸４１ａの軸芯と右軸穴４２ａの中心とが位置している上下風向板４の長手方向に延びる直線に最も近い位置に位置する。また、上下風向板４が図１０の開位置にあるとき、中央軸４３ａの軸芯は曲率半径が最も大きい第３の円弧Ｃ３の端部に位置している。従って、中央軸４３ａの軸芯は、左軸４１ａの軸芯と右軸穴４２ａの中心とが位置している上下風向板４の長手方向に延びる直線から最も離れた位置に位置する。
【００１９】
尚、図１１においては、第１の円弧Ｃ１を含み曲率中心Ｐ１を中心とする円Ｃ１１、第２の円弧Ｃ２を含み曲率中心Ｐ２を中心とする円Ｃ２１、及び第３の円弧Ｃ３を含み曲率中心Ｐ３を中心とする円Ｃ３１をそれぞれ点線で示している。
【００２０】
上述のように、上下風向板４の中央軸４３ａは、支持機構８の中央軸穴８３ａの内周面において、室内ユニット１００の内方側の部分に付勢された状態となっている。従って、上下風向板４が図９の閉位置と図１０の開位置との間で回転するとき、上下風向板４は、中央軸穴８３ａの内周面の第１の円弧Ｃ１、第２の円弧Ｃ２、及び第３の円弧Ｃ３が形成する円弧状の軌跡に沿って案内される。
【００２１】
本実施の形態によれば、上下風向板４の中央軸４３ａは、常に、支持機構８の中央軸穴８３ａの内周面において室内ユニット１００の内方側の部分に押し付けられた状態となっている。従って、中央軸４３ａと中央軸穴８３ａの嵌合がガタつくことがなく、嵌合状態が吹出口１ｂから吹き出される空気の影響及び室内ユニット１００の振動の影響を受けることはない。その結果、上下風向板４の停止時及び回転時における異音の発生が防止される。
【００２２】
さらに、中央軸４３ａが点ＡＸからずれた位置で中央軸穴８３ａと嵌合することにより、左軸４１ａが左軸穴８１ａの内周面に押し付けられ、右軸８２ａが右軸穴４２ａの内周面に押し付けられる。従って、左軸４１ａと左軸穴８１ａの嵌合、及び右軸穴４２ａと右軸８２ａの嵌合もガタつくことがなく、これらの嵌合状態は、吹出口１ｂから吹き出される空気の影響及び室内ユニット１００の振動の影響を受けることはない。その結果、上下風向板４の停止時及び回転時における異音の発生が防止される。
【００２３】
また、上下風向板４を回転させるとき、高トルクが必要とされないため、上下風向板４及び支持機構８の各部材の損傷も防止される。
【００２４】
中央軸穴８３ａの内周面において、中央軸４３ａが押し付けられている内周面は、複数の円弧、すなわち第１の円弧Ｃ１、第２の円弧Ｃ２、及び第３の円弧で構成されている。従って、これらの円弧の曲率半径を調整することにより、中央軸穴８３ａに対する中央軸４３ａの押付力を調整することができる。その結果、吹出口１ｂから空気の風向が振動を起こしやすい場合、押付力を増強することが可能となる。
【００２５】
図９及び図１０に示すように、本実施の形態において、上下風向板４の中央軸４３ａは、上下風向板４が閉位置にあるとき、点ＡＸに相対的に近い位置に位置づけられ、上下風向板４が開位置にあるとき、点ＡＸに相対的に遠い位置に位置づけられる。中央軸４３ａが点ＡＸにより近い位置にあれば、上下風向板４の撓みはより小さくなる。室内ユニット１００の運転時間の長さと停止時間の長さを比較すると、一般的に停止時間の方が長い。従って、本実施の形態によれば、上下風向板４が強く撓む時間を抑えることができる。その結果、上下風向板４の経時的な変形が抑えられ、上下風向板４の回転時において、中央軸４３ａを支持機構８の中央軸穴８３ａの内周面に押し付ける力が低下することを抑制できる。
【００２６】
左軸４１ａの軸芯と右軸穴４２ａの中心が位置している直線から中央軸４３ａの軸芯をずらすことにより、上下風向板４を回転させると中央軸４３ａに回転軌道が生じる。本実施の形態によれば、この回転軌道は、中央軸穴８３ａの内周面の室内ユニット１００の内方側の部分の形状に合わせられる。その結果、上下風向板４の回転トルクを低減することができる。
【００２７】
また、中央軸穴８３ａの内周面の室内ユニット１００の内方側の円弧状の形状は、複数の円弧にうち隣り合う円弧は共通の接線を有するよう構成されており、隣り合う円弧の間には段差及び凹凸が形成されていない。従って、上下風向板４が回転するとき、中央軸４３ａはスムーズに案内される。
【００２８】
本実施の形態において、上下風向板４の中央軸４３ａが押し付けられる支持機構８の中央軸穴８３ａの内周面の形状は、３つの円弧で構成されているがこれに限るものではない。隣り合う円弧同士が共通の接線を有するよう構成されていれば、円弧は４つ以上でもよい。
【００２９】
本実施の形態において、上下風向板４の左軸４１ａ及び中央軸４３ａが、それぞれ支持機構８の左軸穴８１ａ、中央軸穴８３ａに挿通し、支持機構８の右軸８２ａが上下風向板４の右軸穴４２ａに挿通しているが、これに限るものではなく、軸と軸穴の関係を逆にしてもよい。すなわち、支持機構８の左支持板８１に左軸を設け、中央支持板８３に中央軸を設け、右支持板８２に右穴を設け、上下風向板４の左取付板４１に左軸穴を設け、中央取付板４３に中央軸穴を設け、右取付板４２に右軸を設けてもよい。この構成では、左支持板８１の左軸及び中央支持板８３の中央軸を、それぞれ左取付板４１の左軸穴、中央取付板の中央軸穴に挿通させ、右取付板の右軸を右支持板の右軸穴に挿通する。この場合、上下風向板４は、支持機構８に設けられた軸周りに回転する。また、中央支持板８３に設ける軸が押し付けられるのは、中央取付板４３に設ける軸穴の内周面のうち、室内ユニット１００の外方側の部分となる。従って、室内ユニット１００の外方側の部分が、図１１で説明したのと同様の複数の円弧で構成されることとなる。
【００３０】
また、上下風向板４の右取付板４２に右軸を設け、支持機構８の右支持板８２に右軸穴を設け、上下風向板４の左軸４１ａ、中央軸４３ａ、及び右取付板４２の右軸が、それぞれ支持機構８の左軸穴８１ａ、中央軸穴８３ａ、及び右支持板８２の右軸穴に挿通する構成としてもよい。この場合、中央軸穴８３ａの内周面の室内ユニット１００の内方側の形状構成は、図１１を参照して説明した構成と同様となる。
【００３１】
また、支持機構８の左支持板８１に左軸を設け、中央支持板８３に中央軸を設け、上下風向板４の左取付板４１に左軸穴を設け、中央取付板４３に中央軸穴を設けてもよい。この構成では、支持機構８の左支持板８１の左軸、中央支持板８３の中央軸、及び右支持板８２の右軸８２ａを、それぞれ上下風向板４の左取付板４１の左軸穴、中央取付板４３の中央軸穴、及び右取付板４２の右軸穴４２ａに挿通させる。また、中央支持板８３に設ける軸が押し付けられるのは、中央取付板４３に設ける軸穴の内周面のうち、室内ユニット１００の外方側の部分となる。従って、室内ユニット１００の外方側の部分が、図１１で説明したのと同様の複数の円弧で構成されることとなる。
【符号の説明】
【００３２】
１  筐体、１ａ  吸込口、１ｂ  吹出口、２  フロントパネル、３  吹出口組立品、４  上下風向板、５  熱交換器、６  送風機、７  リアガイド、８  支持機構、４０  本体、４１  左取付板、４１ａ  左軸、４２  右取付板、４２ａ  右軸穴、４３  中央取付板、４３ａ  中央軸、８０  本体、８１  左支持板、８１ａ  左軸穴、８２  右支持板、８２ａ  右軸、８３  中央支持板、８３ａ  中央軸穴、１００  室内ユニット、Ｃ１  第１の円弧、Ｃ１１  円、Ｃ２  第２の円弧、Ｃ２１  円、Ｃ３  第３の円弧、Ｃ３１  円、Ｌ１    共通接線、Ｌ２  共通接線、Ｐ１  曲率中心、Ｐ２  曲率中心、Ｐ３  曲率中心。
【図１】
0006790239.tif 000002
【図２】
0006790239.tif 000003
【図３】
0006790239.tif 000004
【図４】
0006790239.tif 000005
【図５】
0006790239.tif 000006
【図６】
0006790239.tif 000007
【図７】
0006790239.tif 000008
【図８】
0006790239.tif 000009
【図９】
0006790239.tif 000010
【図１０】
0006790239.tif 000011
【図１１】
0006790239.tif 000012